(57)【要約】      （修正有）【課題】既存の蓋付きゴミ箱の蓋と本体の間か、蓋なしゴミ箱の口部に覆設することができ、実用性や防臭能力がより強く、構造がシンプルで信頼性が高く、使用しやすく、コストが低く、耐用年数が長く、実用性がより高いゴミ箱用防臭仕切り装置を提供する。【解決手段】ゴミ箱用防臭仕切り装置は、仕切り板１を含み、仕切り板１の中間に投入口が設けられ、投入口に投入口を開閉するための開閉ドアが設置され、開閉ドアは、左蓋板２及び右蓋板３を含み、左蓋板２及び右蓋板３は仕切り板１の底部とヒンジで連結され、左蓋板２及び右蓋板３は、同一平面上にあるときは投入口を閉鎖することができ、左蓋板２及び右蓋板３のいずれもバランスウェイト４からなる閉鎖機構が設置され、閉鎖機構によって左蓋板２及び右蓋板３は外部圧力の影響を受けずに投入口を常に閉鎖状態に保持する。【選択図】図３
0003213131.tif 000002
【実用新案登録請求の範囲】
【請求項１】
ゴミ箱用防臭仕切り装置であって、仕切り板を含み、前記仕切り板の中間に投入口が設けられ、前記投入口に前記投入口を開閉するための開閉ドアが設置され、前記開閉ドアの一端は前記仕切り板とヒンジで連結され、前記開閉ドアに閉鎖機構が設けられ、前記閉鎖機構によって前記開閉ドアは外部圧力の影響を受けずに前記投入口を常に閉鎖状態に保持することを特徴とするゴミ箱用防臭仕切り装置。
【請求項２】
前記開閉ドアは左蓋板及び右蓋板を含み、前記左蓋板及び前記右蓋板は前記仕切り板の底部と前記ヒンジで連結され、前記左蓋板及び前記右蓋板が同一平面上にあるときは前記投入口を閉鎖することができ、前記左蓋板及び前記右蓋板のいずれも前記閉鎖機構が設けられ、前記閉鎖機構によって前記左蓋板及び前記右蓋板は外部圧力の影響を受けずに前記投入口を常に閉鎖状態に保持することを特徴とする請求項１に記載のゴミ箱用防臭仕切り装置。
【請求項３】
前記閉鎖機構はリターンスプリングであり、前記左蓋板及び前記右蓋板は回転軸を介して前記仕切り板と前記ヒンジで連結され、前記リターンスプリングは回転軸に覆設され、前記リターンスプリングの一端は前記仕切り板に当接し、他端は前記左蓋板及び前記右蓋板に当接し、前記仕切り板は前記投入口の外周に前記左蓋板及び前記右蓋板の捲れを防止するためのストッパーが設置されていることを特徴とする請求項２に記載のゴミ箱用防臭仕切り装置。
【請求項４】
前記閉鎖機構はバランスウェイトであり、前記バランスウェイトは前記左蓋板及び前記右蓋板に設置され、前記投入口を閉鎖するときに前記左蓋板及び前記右蓋板の先端部が互いに接合し、前記仕切り板は前記投入口の外周に前記左蓋板及び前記右蓋板の捲りを防止するためのストッパーが設置されていることを特徴とする請求項２に記載のゴミ箱用防臭仕切り装置。
【請求項５】
前記左蓋板及び前記右蓋板の構造は同じであり、前記左蓋板及び前記右蓋板のいずれも水平板を含み、前記水平板の後部は下へ折り曲げて斜め部を形成し、前記水平板の前部は水平部であり、前記バランスウェイトは前記斜め部の末端に設置され、前記斜め部と前記水平部との連結部に回転軸が設置され、前記左蓋板及び前記右蓋板は前記回転軸を介して前記仕切り板と前記ヒンジで連結することを特徴とする請求項４に記載のゴミ箱用防臭仕切り装置。
【請求項６】
前記バランスウェイトは円筒状であり、前記斜め部の末端は長手方向に沿って前記バランスウェイトを収容するためのスリーブが設けられていることを特徴とする請求項５に記載のゴミ箱用防臭仕切り装置。
【請求項７】
前記仕切り板は前記投入口の左右両側に上向きのボスが設置され、前記ボスの底に前記左蓋板及び前記右蓋板の後端のための逃げ凹みが設置され、それによって、前記左蓋板及び前記右蓋板の前記後端が跳ね上がるときに、前記左蓋板及び前記右蓋板の前記後端を前記凹みの中に移動させることを特徴とする請求項５に記載のゴミ箱防臭仕切り装置。
【請求項８】
前記仕切り板の両端にゴミ箱の蓋を連結するための連結部材が設置されていることを特徴とする請求項１〜７のいずれか１項に記載のゴミ箱用防臭仕切り装置。
【請求項９】
前記連結部材は磁石であり、前記仕切り板の両端に前記磁石を収容するための溝が設置されていることを特徴とする請求項８に記載のゴミ箱用防臭仕切り装置。
【請求項１０】
防臭ゴミ箱であって、請求項９に記載の防臭仕切り装置を採用し、蓋及び箱本体を含み、前記蓋は前記箱本体に設けられ、前記防臭仕切り装置は前記蓋の下端に設置されていることを特徴とする防臭ゴミ箱。
【考案の詳細な説明】
【技術分野】
【０００１】
本考案は、ゴミ箱用防臭仕切り板装置に関する。
【背景技術】
【０００２】
従来のゴミ箱は一般的に蓋がついており、蓋が開かれたとき、ゴミ箱におけるゴミが見え、嫌な臭いが生じるので、人の視覚だけではなく臭覚にも影響を与え、特におむつや生理用ナプキンなど、単一蓋付きのゴミ箱は蓋が開かれたときに嫌な臭いが出る場合があり、それに親がゴミ箱に捨てた個人的なものを子供に見せたくないことがある。
【０００３】
中国特許番号ＣＮ２０４７７７０１０Ｕ（防臭ゴミ箱）では、その蓋板は一方向で下向きに開かれ、ゴミ箱に捨てられたゴミは一方向に積み上げ、それに単一蓋板は比較的長いので、ゴミ箱の容量を多く占用し、実用性が低い。
【考案の概要】
【０００４】
本考案は、上記従来技術に存在する問題を改善し、ゴミ箱用防臭仕切り装置を提供する。
【０００５】
上記の技術的問題を解決するため、本考案の技術的手段は、ゴミ箱用の防臭仕切り装置であって、仕切り板を含み、仕切り板の中間に投入口が設けられ、投入口に投入口を開閉するための開閉ドアが設置され、開閉ドアの一端は仕切り板とヒンジで連結され、開閉ドアに閉鎖機構が設けられ、閉鎖機構によって開閉ドアは外部圧力の影響を受けずに投入口を常に閉鎖状態に保持する。
【０００６】
さらに、開閉ドアは左蓋板及び右蓋板を含み、左蓋板及び右蓋板は仕切り板の底部とヒンジで連結され、左蓋板及び右蓋板が同一平面上にあるときは投入口を閉鎖することができ、左蓋板及び右蓋板のいずれも閉鎖機構が設けられ、閉鎖機構によって左蓋板及び右蓋板は外部圧力の影響を受けずに投入口を常に閉鎖状態に保持する。
【０００７】
さらに、閉鎖機構はリターンスプリングであり、左蓋板及び右蓋板は回転軸を介して仕切り板とヒンジで連結され、リターンスプリングは回転軸に覆設され、リターンスプリングの一端は仕切り板に当接し、他端は左蓋板及び右蓋板に当接し、仕切り板は投入口の外周に左蓋板及び右蓋板の捲りを防止するためのストッパーが設置されている。
【０００８】
さらに、閉鎖機構はバランスウェイトであり、バランスウェイトは左蓋板及び右蓋板の後端に設置され、投入口を閉鎖するときに左蓋板及び右蓋板の先端部が互いに接合し、仕切り板は投入口の外周に左蓋板及び右蓋板の捲りを防止するためのストッパーが設置されている。
【０００９】
さらに、左蓋板及び右蓋板の構造は同じであり、左蓋板及び右蓋板のいずれも水平板を含み、水平板の後部は下へ折り曲げて斜め部を形成し、水平板の前部は水平部であり、バランスウェイトは斜め部の末端に設置され、斜め部と水平部との連結部に回転軸が設置され、左蓋板及び右蓋板は回転軸を介して仕切り板とヒンジで連結する。
【００１０】
さらに、バランスウェイトは円筒状であり、斜め部の末端は長手方向に沿ってバランスウェイトを収容するためのスリーブが設けられている。
【００１１】
さらに、仕切り板は投入口の左右両側に上向きのボスが設置され、ボスの底に左蓋板及び右蓋板の後端ための逃げ凹みが設置され、それによって、左及び右蓋板の後端が跳ね上がるときに、左蓋板及び右蓋板の後端を凹みの中に移動させる。
【００１２】
さらに、仕切り板の両端にゴミ箱の蓋を連結するための連結部材が設置されている。
【００１３】
さらに、連結部材は磁石であり、仕切り板の両端に磁石を収容するための溝が設置されている。
【００１４】
防臭ゴミ箱であって、蓋及び箱本体を含み、蓋は箱本体に設けられ、防臭仕切り装置は蓋の下端に設置される。
【００１５】
従来技術に比べ、本考案は、以下の利点を有する。既存の蓋付きゴミ箱の蓋と本体の間か、蓋なしゴミ箱の口部に覆設することができ、実用性や防臭能力がより強く、構造がシンプルで信頼性が高く、使用しやすく、コストが低く、耐用年数が長く、実用性がより高い。
【図面の簡単な説明】
【００１６】
【図１】図１は、本考案の実施例における構造立体概略図である。
【図２】図２は、本考案の実施例における構造分解概略図である。
【図３】図３は、本考案の実施例における閉鎖時の構造概略図である。
【図４】図４は、本考案の実施例における開いた時の構造概略図である。
【図５】図５は、本考案の実施例における使用状態の構造分解概略図である。
【図６】図６は、開閉ドアの回転軸にリターンスプリングを設けた構造の概略図である。
【図７】図７は、図６のＡ−Ａ断面図である。
【考案を実施するための形態】
【００１７】
下記は、添付図面及び具体的な実施形態と併せて、本考案を詳細に説明する。
【００１８】
図１〜図７のように、ゴミ箱用防臭仕切り装置は、仕切り板１を含み、仕切り板１の中間に投入口１２が設けられ、投入口１２に投入口１２を開閉するための開閉ドアが設置され、開閉ドアの一端は仕切り板１とヒンジで連結され、開閉ドアに閉鎖機構が設けられ、閉鎖機構によって開閉ドアは外部圧力の影響を受けずに投入口１２を常に閉鎖状態に保持する。
【００１９】
本実施例において、開閉ドアは左蓋板２及び右蓋板３を含み、左蓋板２及び右蓋板３は仕切り板１の底部とヒンジで連結され、左蓋板２及び右蓋板３が同一平面上にあるときは投入口１２を閉鎖することができ、左蓋板２及び右蓋板３のいずれも閉鎖機構が設けられ、閉鎖機構によって左蓋板２及び右蓋板３は外部圧力の影響を受けずに投入口１２を常に閉鎖状態に保持する。
【００２０】
本実施例において、閉鎖機構はリターンスプリング１０であり、左蓋板２及び右蓋板３は回転軸５を介して仕切り板１とヒンジで連結され、リターンスプリング１０は回転軸５に覆設され、リターンスプリング１０の一端は仕切り板１に当接し、他端は左蓋板２及び右蓋板３に当接する。仕切り板１は投入口１２の外周に左蓋板２及び右蓋板３の捲りを防止するためのストッパー９（それぞれ添付図６、添付図７を参照）が設置される。ゴミは左蓋板２及び右蓋板３を押し、ゴミの重力作用下で、左蓋板２及び右蓋板３はそれぞれ仕切り板１の回転軸５を中心として、下へ回動して投入口１２を開き、このときにリターンスプリング１０は荷重を受けてゴミが直接ゴミ箱に落ち、その後、左蓋板２及び右蓋板３はリターンスプリング１０の弾性力によって上へ回動し、左蓋板２及び右蓋板３は再度投入口１２を閉鎖する。
【００２１】
本実施例において、閉鎖機構はバランスウェイト４であり、バランスウェイト４は左蓋板２及び右蓋板３に設置され、投入口１２を閉鎖するときに左蓋板２及び右蓋板３の先端部が互いに接合し、仕切り板１は投入口１２の外周に左蓋板２及び右蓋板３の捲りを防止するためのストッパー９（それぞれ添付図３、添付図４を参照）が設置される。ゴミは左蓋板２及び右蓋板３を押し、ゴミの重力作用下で、左蓋板２及び右蓋板３はそれぞれ仕切り板１の回転軸５を中心として、下へ回動して投入口１２を開き、ゴミが直接ゴミ箱に落ち、その後、左蓋板２及び右蓋板３はバランスウェイト４の重力作用下で上へ回動し、左蓋板２及び右蓋板３は再度投入口１２を閉鎖する。
【００２２】
本実施例において、左蓋板２及び右蓋板３の構造は同じであり、左蓋板２及び右蓋板３のいずれも水平板を含み、水平板の後部は下へ折り曲げて斜め部を形成し、水平板の前部は水平部であり、バランスウェイト４は斜め部の末端に設置され、斜め部と水平部との連結部に回転軸５が設置され、左蓋板２及び右蓋板３は回転軸５を介して仕切り板１とヒンジで連結し、斜め部と水平部との間に９０°以上１８０°以下の角度を形成する。
【００２３】
本実施例において、バランスウェイト４は円筒状であり、斜め部の末端は長手方向に沿ってバランスウェイト４を収容するためのスリーブ３１が設けられ、スリーブ３１の一端に栓３２が設置され、バランスウェイト４を隠して固定し、製品がよりきれいで、耐久性に優れ、バランスウェイト４は既存の金属線材を切断して使うことができ、コストが低く、取り付けやすい。
【００２４】
本実施例において、バランスウェイトの重量は、左蓋板２及び右蓋板３の先端部より重く、それによって外部圧力の影響を受けない条件下で蓋板の先端部が上へ跳ね上がり、投入口１２を閉鎖して臭いを防止し、防臭効果を向上させるため、左蓋板２及び右蓋板３が互いに当接する面並びに左蓋板２及び右蓋板３と投入口１２との間にシール又はスペーサーを設置することができ、シール又はスペーサーは投入口１２の下部の外周に設置するか、左蓋板２及び右蓋板３の外周に階段を設置し、シール又はスペーサーをその階段に設置することができる。
【００２５】
本実施例において、仕切り板１は投入口１２の左右両側に上向きのボス１１が設置され、ボス１１の底に左蓋板２及び右蓋板３の後端ための逃げ凹みが設置され、それによって、左蓋板２及び右蓋板３の後端が跳ね上がるときに、左蓋板２及び右蓋板３の後端を凹みの中に移動させる。
【００２６】
本実施例において、仕切り板１の両端にゴミ箱の蓋６を連結するための連結部材が設置される。
【００２７】
本実施例において、連結部材は磁石８であり、仕切り板１の両端に磁石８を収容するための溝が設置され、連結部材は、尾錠、割りピンなど、蓋６と仕切り板１の分解可能な連結を実現できるものを採用することができる。
【００２８】
防臭ゴミ箱は、蓋６及び箱本体７を含み、蓋６は箱本体７に設けられ、防臭仕切り装置は蓋６の下端に設置される。
【００２９】
ゴミを捨てる時、ゴミは左蓋板２及び右蓋板３を押し、ゴミの重力作用下で、左蓋板２及び右蓋板３は、それぞれ仕切り板１の回転軸５を中心として、下へ投入口１２を回転的に開き、ゴミは直接ゴミ箱に落ち、その後、左蓋板２及び右蓋板３は閉鎖機構の作用下で、左蓋板２及び右蓋板３は再度投入口１２を閉じ、ゴミの臭いを遮断する役割を果たす。
【００３０】
使用の際、本装置を直接箱本体７頂部の開口部に取り付けるか、既存の蓋付きゴミ箱の蓋６と箱本体７の間に覆設することができ、図５に示すとおり、仕切り板１の左右両側にそれぞれ磁石８を取り付け、蓋６のそれに対応した位置にも磁石８を装着し、蓋６と仕切り板１を密接に吸着させ、蓋６を開くときに、ゴミ箱におけるゴミが見えず、臭いが発生せず、使用者の視覚や臭覚に影響を与えず、使用環境がより衛生的である。
【００３１】
上記は、本考案の好ましい実施形態のみであり、本考案の請求範囲によって行った均等的変更や修正は、本考案の範囲に属する。
【符号の説明】
【００３２】
１  仕切り板、１１  ボス、１２  投入口、２  左蓋板、３  右蓋板、３１  スリーブ、３２  栓、４  バランスウェイト、５  回転軸、６  蓋、７  箱本体、８  磁石、９  ストッパー、１０  リターンスプリング
【図１】
0003213131.tif 000003
【図２】
0003213131.tif 000004
【図３】
0003213131.tif 000005
【図４】
0003213131.tif 000006
【図５】
0003213131.tif 000007
【図６】
0003213131.tif 000008
【図７】
0003213131.tif 000009